(57)【要約】改良型直交周波数分割多重（ＯＦＤＭ）通信スロット構造および方法を説明する。一例示的方法は、ビット集合の第１の部分を時分割多元接続タイムスロットの第１の部分の間に伝送されるべき第１の直交周波数分割多重シンボルに変換するステップと、ビット集合の第２の部分を時分割多元接続タイムスロットの第２の部分の間に伝送されるべき第２の直交周波数分割多重シンボルに変換するステップと、を含む。他の実施形態も図示および説明される。
2013527716.tif 000002
【特許請求の範囲】
【請求項１】
エンコードされるべきビット集合の第１の部分を時分割多元接続タイムスロットの第１の部分の間に伝送されるべき第１の直交周波数分割多重シンボルに変換することと、
エンコードされるべき前記ビット集合の第２の部分を時分割多元接続タイムスロットの第２の部分の間に伝送されるべき第２の直交周波数分割多重シンボルに変換することと
を含む、方法。
【請求項２】
前記時分割多元接続タイムスロットは、エンコードされるべき前記ビットの部分を搬送する少なくとも１つの他の時分割多元接続タイムスロットと時間的に分離する、請求項１に記載の方法。
【請求項３】
前記ビット集合の第１の部分を前記第１の直交周波数分割多重シンボルに変換することは、前記ビット集合の第１の部分を１つ以上の変調されたサブキャリアによって表される１つ以上のシンボルにマップすることを含む、請求項１または２に記載の方法。
【請求項４】
前記１つ以上のサブキャリアは、異なる変調方式に従って、変調される、請求項３に記載の方法。
【請求項５】
一次の変調方式は、伝送帯域のエッジ近傍の１つ以上のサブキャリアを変調する際に使用され、前記一次より高次の二次の変調方式は、前記伝送帯域の中央近傍の１つ以上のサブキャリアを変調するために使用される、請求項３または４に記載の方法。
【請求項６】
１つ以上のトレーニングシンボルが、１つ以上のサブキャリア上に変調される、請求項３または４または５に記載の方法。
【請求項７】
少なくとも１つのトレーニングシンボルが、前記第１の直交周波数分割多重シンボルまたは前記第２の直交周波数分割多重シンボルのうちの１つの低周波数サブキャリア上に変調される、請求項６に記載の方法。
【請求項８】
少なくとも１つのトレーニングシンボルが、前記第１の直交周波数分割多重シンボルまたは前記第２の直交周波数分割多重シンボルのうちの１つの高周波数サブキャリア上に変調される、請求項７に記載の方法。
【請求項９】
少なくとも１つのトレーニングシンボルが、前記第１の直交周波数分割多重シンボルの低周波数サブキャリア上に変調され、少なくとも１つのトレーニングシンボルが、前記第２の直交周波数分割多重シンボルの高周波数サブキャリア上に変調される、請求項６に記載の方法。
【請求項１０】
前記ビット集合の第１の部分を前記第１の直交周波数分割多重シンボルに変換することは、前記ビット集合の第１の部分を基数２のシンボル数にマップすることを含む、請求項１に記載の方法。
【請求項１１】
前記ビット集合の第２の部分を前記第２の直交周波数分割多重シンボルに変換することは、前記ビット集合の第２の部分を基数２のシンボル数にマップすることを含む、請求項１０に記載の方法。
【請求項１２】
前記ビットは、情報ビットおよびトレーニングビットを含む、請求項１０に記載の方法。
【請求項１３】
前記第１の直交周波数分割多重シンボルは、第１の数のトレーニングシンボルを含み、前記第２の直交周波数分割多重シンボルは、前記第１の数のトレーニングシンボルと異なる第２の数のトレーニングシンボルを含む、請求項１に記載の方法。
【請求項１４】
エンコードされるべきビット集合の部分を少なくとも１つの時分割多元接続タイムスロットの間に伝送されるべき直交周波数分割多重シンボルに変換することを含み、前記変換することは、前記ビット集合の部分を１つ以上の変調されたサブキャリアによって表される１つ以上のシンボルにマップすることを含み、前記１つ以上のサブキャリアは、異なる変調方式に従って、変調される、方法。
【請求項１５】
一次の変調方式は、伝送帯域のエッジ近傍のサブキャリアを変調するために使用され、前記一次より高次の二次の変調方式は、前記伝送帯域の中央近傍のサブキャリアを変調するために使用される、請求項１４に記載の方法。
【請求項１６】
１つ以上のトレーニングシンボルが、１つ以上のサブキャリア上に変調される、請求項１４または１５に記載の方法。
【請求項１７】
少なくとも１つのトレーニングシンボルが、前記直交周波数分割多重シンボルの低周波数サブキャリア上に変調される、請求項１６に記載の方法。
【請求項１８】
少なくとも１つのトレーニングシンボルが、前記直交周波数分割多重シンボルの高周波数サブキャリア上に変調される、請求項１６または１７に記載の方法。
【請求項１９】
前記ビット集合の部分を前記直交周波数分割多重シンボルに変換することは、前記ビット集合の部分を基数２のシンボル数にマップすることを含む、請求項１４に記載の方法。
【請求項２０】
前記ビットは、情報ビットおよびトレーニングビットを含む、請求項１４に記載の方法。
【請求項２１】
第１のサブキャリア集合を変調することによって、エンコードされるべきビット集合の部分を時分割多元接続タイムスロットの一部の間に伝送されるべき直交周波数分割多重シンボルに変換することと、
前記第１のサブキャリア集合と異なる第２のサブキャリア集合を変調することによって、トレーニングシンボルを前記直交周波数分割多重シンボル内に含むことであって、前記第２のサブキャリア集合の少なくとも１つのサブキャリアは、伝送帯域のエッジ近傍にある、ことと
を含む、方法。
【請求項２２】
前記サブキャリアは、異なる変調方式に従って、変調される、請求項２１に記載の方法。
【請求項２３】
一次の変調方式は、前記伝送帯域のエッジ近傍のサブキャリアを変調するために使用され、前記一次より高次の二次の変調方式は、前記伝送帯域の中央近傍のサブキャリアを変調するために使用される、請求項２１または２２に記載の方法。
【請求項２４】
前記第２のサブキャリア集合の少なくとも１つのサブキャリアは、前記伝送帯域のエッジにある、請求項２１または２２または２３に記載の方法。
【請求項２５】
前記ビット集合の部分を前記直交周波数分割多重シンボルに変換することは、前記ビット集合の第１の部分を基数２のシンボル数にマップすることを含む、請求項２１または２２または２３または２４に記載の方法。
【請求項２６】
エンコードされるべきビット集合の第１の部分を時分割多元接続タイムスロットの第１の部分の間に伝送されるべき第１の直交周波数分割多重シンボルに変換し、エンコードされるべき前記ビット集合の第２の部分を時分割多元接続タイムスロットの第２の部分の間に伝送されるべき第２の直交周波数分割多重シンボルに変換するように構成される、構成要素を含む、機器。
【請求項２７】
前記時分割多元接続タイムスロットは、エンコードされるべき前記ビットの部分を搬送する少なくとも１つの他の時分割多元接続タイムスロットと時間的に分離する、請求項２６に記載の機器。
【請求項２８】
前記ビット集合の第１の部分を前記第１の直交周波数分割多重シンボルに変換することは、前記ビット集合の第１の部分を１つ以上の変調されたサブキャリアによって表される１つ以上のシンボルにマップすることを含む、請求項２６または２７に記載の機器。
【請求項２９】
前記１つ以上のサブキャリアは、異なる変調方式に従って、変調される、請求項２８に記載の機器。
【請求項３０】
一次の変調方式は、伝送帯域のエッジ近傍の１つ以上のサブキャリアを変調する際に使用され、前記一次より高次の二次の変調方式は、前記伝送帯域の中央近傍の１つ以上のサブキャリアを変調するために使用される、請求項２９に記載の機器。
【請求項３１】
１つ以上のトレーニングシンボルが、１つ以上のサブキャリア上に変調される、請求項２８または２９または３０に記載の機器。
【請求項３２】
少なくとも１つのトレーニングシンボルが、前記第１の直交周波数分割多重シンボルまたは前記第２の直交周波数分割多重シンボルのうちの１つの低周波数サブキャリア上に変調される、請求項３１に記載の機器。
【請求項３３】
少なくとも１つのトレーニングシンボルが、前記第１の直交周波数分割多重シンボルまたは前記第２の直交周波数分割多重シンボルのうちの１つの高周波数サブキャリア上に変調される、請求項３２に記載の機器。
【請求項３４】
少なくとも１つのトレーニングシンボルが、前記第１の直交周波数分割多重シンボルの低周波数サブキャリア上に変調され、および少なくとも１つのトレーニングシンボルが、前記第２の直交周波数分割多重シンボルの高周波数サブキャリア上に変調される、請求項３１または３２または３３に記載の機器。
【請求項３５】
前記ビット集合の第１の部分を前記第１の直交周波数分割多重シンボルに変換することは、前記ビット集合の第１の部分を基数２のシンボル数にマップすることを含む、請求項２６に記載の機器。
【請求項３６】
前記ビット集合の第２の部分を前記第２の直交周波数分割多重シンボルに変換することは、前記ビット集合の第２の部分を基数２のシンボル数にマップすることを含む、請求項３５に記載の機器。
【請求項３７】
前記ビットは、情報ビットおよびトレーニングビットを含む、請求項３５または３６に記載の機器。
【請求項３８】
前記第１の直交周波数分割多重シンボルは、第１の数のトレーニングシンボルを含み、前記第２の直交周波数分割多重シンボルは、前記第１の数のトレーニングシンボルと異なる第２の数のトレーニングシンボルを含む、請求項２６に記載の機器。
【請求項３９】
エンコードされるべきビット集合の部分を少なくとも１つの時分割多元接続タイムスロットの間に伝送されるべき直交周波数分割多重シンボルに変換するように構成される、構成要素を含み、前記変換することは、前記ビット集合の部分を１つ以上の変調されたサブキャリアによって表される１つ以上のシンボルにマップすることを含み、前記１つ以上のサブキャリアは、異なる変調方式に従って、変調される、機器。
【請求項４０】
一次の変調方式は、伝送帯域のエッジ近傍のサブキャリアを変調するために使用され、前記一次より高次の二次の変調方式は、前記伝送帯域の中央近傍のサブキャリアを変調するために使用される、請求項３９に記載の機器。
【請求項４１】
１つ以上のトレーニングシンボルが、１つ以上のサブキャリア上に変調される、請求項３９に記載の機器。
【請求項４２】
少なくとも１つのトレーニングシンボルが、前記直交周波数分割多重シンボルの低周波数サブキャリア上に変調される、請求項４１に記載の機器。
【請求項４３】
少なくとも１つのトレーニングシンボルが、前記直交周波数分割多重シンボルの高周波数サブキャリア上に変調される、請求項４１または４２に記載の機器。
【請求項４４】
前記ビット集合の部分を前記直交周波数分割多重シンボルに変換することは、前記ビット集合の部分を基数２のシンボル数にマップすることを含む、請求項３９に記載の機器。
【請求項４５】
前記ビットは、情報ビットおよびトレーニングビットを含む、請求項３９に記載の機器。
【請求項４６】
第１のサブキャリア集合を変調することによって、エンコードされるべきビット集合の部分を時分割多元接続タイムスロットの一部の間に伝送されるべき直交周波数分割多重シンボルに変換し、前記第１のサブキャリア集合と異なる第２のサブキャリア集合を変調することによって、トレーニングシンボルを前記直交周波数分割多重シンボル内に含むように構成される、構成要素を含み、前記第２のサブキャリア集合の少なくとも１つのサブキャリアは、伝送帯域のエッジ近傍にある、機器。
【請求項４７】
前記サブキャリアは、異なる変調方式に従って、変調される、請求項４６に記載の機器。
【請求項４８】
一次の変調方式は、前記伝送帯域のエッジ近傍のサブキャリアを変調するために使用され、前記一次より高次の二次の変調方式は、前記伝送帯域の中央近傍のサブキャリアを変調するために使用される、請求項４６または４７に記載の機器。
【請求項４９】
前記第２のサブキャリア集合の少なくとも１つのサブキャリアは、前記伝送帯域のエッジにある、請求項４６または４７または４８に記載の機器。
【請求項５０】
前記ビット集合の部分を前記直交周波数分割多重シンボルに変換することは、前記ビット集合の第１の部分を基数２のシンボル数にマップすることを含む、請求項４６または４７または４８または４９に記載の機器。
【発明の詳細な説明】
【技術分野】
【０００１】
（関連出願の引用）
本願は、２０１０年５月１７日に出願された、米国特許出願第１２／７８１，７７１号に対する優先権を主張するものであり、該米国特許出願の全内容は、参照により本明細書中に援用される。
【０００２】
（開示の分野）
本開示は、概して、モバイル通信に関し、より具体的には、改良型通信スロット構造および方法に関する。
【背景技術】
【０００３】
現在の拡張汎用パケット無線サービス（ＥＧＰＲＳ）の数理神秘学を使用する直交周波数分割多重（ＯＦＤＭ）を可能にするための現在周知または提案されている技法は、タイムスロット内で単一ＯＦＤＭシンボルを利用する。加えて、現在周知または提案されている技法は、伝送帯域のエッジにおいて、スペクトル整形を要求し、伝送帯域のエッジにおけるチャネル推定に最適ではない、トレーニングシンボル分布を含む。
【発明の概要】
【課題を解決するための手段】
【０００４】
本明細書では、改良型通信スロット構造を実装かつ利用するための方法および装置を説明する。以下は、他の構成要素の中でもとりわけ、ハードウェア上で実装されるソフトウェアを含む、例示的方法および装置を開示するが、そのような方法および装置は、単なる例証であって、限定として見なされるべきではないことに留意されたい。例えば、これらのハードウェアおよびソフトウェア構成要素の一部または全部は、ハードウェア内で排他的に、ソフトウェア内で排他的に、ファームウェア内で排他的に、またはハードウェア、ソフトウェア、および／またはファームウェアの任意の組み合わせで実装され得ることが想定される。故に、以下は、例示的方法および装置を説明するが、当業者は、提供される実施例が、そのような方法および装置を実装するための唯一の方法ではないことを容易に理解するであろう。
【０００５】
改良型通信スロット構造を実装かつ利用するための例示的方法および装置は、時分割多元接続（ＴＤＭＡ）通信タイムスロットを、それぞれ、単一ＯＦＤＭシンボルによって占有される、２つ以上のサブスロットに細分割するステップを含む。従来の配列では、ＥＧＰＲＳスロット構造（ＧＰ１００３６４、Ｅｒｉｃｓｓｏｎ、「Ｐｒｅｃｏｄｅｄ  ＥＧＰＲＳ２  Ｄｏｗｎｌｉｎｋ」、ＧＥＲＡＮ＃４５、Ｂｅｒｌｉｎ（参照することによって本明細書に組み込まれる））において、ＯＦＤＭに基づく通信を可能にする現在の技術と比較して、不変のままにするために、あるタイムスロットの間に通信されるべき全データは、単一ＯＦＤＭシンボル上で定義されたサブキャリア集合を使用して、そのタイムスロットの間に搬送される。本明細書に説明されるように、伝送のためのデータおよび／またはトレーニングシーケンスシンボルは、それぞれ、不等サイズであり得る、ＯＦＤＭシンボルによって占有される、サブスロットにおいて通信されてもよい。各サブスロットは、オリジナルタイムスロットより短い持続時間であるが、同一レートでサンプリングされるため、各ＯＦＤＭシンボルにおける各サブキャリア間の間隔は、より広くなる。例えば、現在の技術は、モバイル通信用グローバルシステム（ＧＳＭ（登録商標））タイムスロット等の従来のスロットを、１１６のデータシンボルおよび２６のトレーニングシーケンスシンボルをトランスポートする、１４２のサブキャリアをもたらし、各サブキャリアは、１．９キロヘルツ（ｋＨｚ）ずつ離間される、１５／２６ミリ秒（ｍｓ）バーストにおいて、６つのサンプルのサイクリックプレフィックスおよび１４２のサンプルの本体から成る、単一ＯＦＤＭシンボルで占有するステップから成る。本サブキャリア間隔は、非常に小さく、高速で各サブキャリアが被る信号対雑音比の低下をもたらし得る。
【０００６】
本明細書に説明される配列では、同一数のデータおよび／またはトレーニングシーケンスシンボルが、総持続時間１５／２６ｍｓである、２つのサブスロットにおいて搬送されてもよく、サブスロットはそれぞれ、従来のフレームにおけるより広い帯域幅間隔を有する、キャリアを含む。例えば、従来のスロットからのシンボルが、それぞれ、６つのサンプルのサイクリックプレフィックス長および６８のサンプルのＯＦＤＭシンボル本体を伴う、ＯＦＤＭシンボルを含有する、２つのサブスロットに等しく分割される場合、各サブスロットにおけるサブキャリアの帯域幅は、従来のスロットのものの２倍広い（例えば、３．８ｋＨｚ対１．９ｋＨｚ）。しかしながら、６つの時間領域サンプルが、第２のＯＦＤＭシンボルにおけるサイクリックプレフィックスのために使用されるため、２つのＯＦＤＭシンボルによって搬送されるサブキャリアの総数は、現在、１４２から１３６（または、６８×２）まで減少されている。本実施例では、同一の１１６のデータシンボルをトランスポートするために、トレーニングシーケンスシンボルの数は、２６から２０に減少される。代替実施例では、データシンボルの数は、１１０のデータシンボルまで減少され、全２６のトレーニングシーケンスシンボルが、トランスポートされる。
【０００７】
代替実施例では、第２のＯＦＤＭシンボルのサイクリックプレフィックスは、バースト間の保護周期から取得または取り入れられ得る。また、サイクリックプレフィックスは、整数のサンプルである必要はない。
【０００８】
サブスロット間のシンボルの分割の１つは、各サブスロットにおけるＯＦＤＭ本体内の時間領域シンボルの数が、２のべき乗（すなわち、基数２）であるように、シンボルを分割することである。基数２の分割は、受信機において、効率的時間領域／周波数領域変換（例えば、離散フーリエ変換、高速フーリエ変換等）を可能にする。したがって、基数２のシンボル数は、復調を簡略化する。
【０００９】
ＥＧＰＲＳバーストのスペクトル放出要件に準拠するために、ＥＧＰＲＳバーストを搬送する周波数帯域のエッジにおけるサブキャリアの振幅は、帯域の中央におけるサブキャリアと比較して、減衰される。ＥＧＰＲＳバーストを搬送する帯域全体の不均一な減衰は、バーストにおいて搬送される情報に対して、不均一誤り保護をもたらす。したがって、同一変調が、全体を通して使用される場合のバースの中心と比較して、バーストの周波数エッジでは、より低い信号対雑音比またはより高いビット誤り率（ＢＥＲ）が存在するであろう。本明細書に説明されるように、異なる変調方式が、帯域の中心と帯域のエッジとの間で使用されてもよい。例えば、二相位相変調（ＢＰＳＫ）等の変調方式またはいくつかの他の比較的にシンボルあたりのビット数が低いシンボル変調方式が、帯域のエッジで使用されてもよく、１６直角位相振幅変調（１６−ＱＡＭ）等の比較的にシンボルあたりのビット数が高い変調方式が、帯域の相対中央において使用されてもよい。このように、縮小密度の変調方式は、同じ信号対雑音比に対して、より大きなビットあたり保護をもたらすため、サブキャリアが被る不均一な信号対雑音比による不均一なビットあたり誤り保護は、緩和され得る。通信帯域内のサブ帯域位置に基づいて、異なる変調方式を選択する結果、加法性ガウス性白色雑音（ＡＷＧＮ）チャネルを通しての通信性能は、改良される。
【００１０】
本明細書に説明されるように、いくつかの実施形態では、トレーニングシーケンスシンボル（トレーニングシンボルとも呼ばれる）は、周波数領域内のシンボルを表示する時、データシンボルの両側にトレーニングシンボルが存在するように、位置することができる。本配列は、トレーニングシンボル間のチャネル推定を展開させ、そのチャネル推定をトレーニングシンボル間に位置するデータシンボルに適用するために、補間を使用可能にする。前述のように、また、２つ以上のサブスロットを使用して、情報を伝送可能である。本開示によると、サブスロットのいずれかにおける帯域端において、トレーニングシンボルを利用して、それらのトレーニングシンボルを使用して、異なるサブスロットのチャネル推定を支援することが可能である。例えば、トレーニングシンボルは、第１のサブスロットの最高サブキャリアに位置してもよく、別のトレーニングシンボルは、第２のサブスロットの最低サブキャリアに位置してもよい。第１のサブスロットの最高サブキャリアのトレーニングシンボルは、２つのサブスロットのサブキャリアが、同じであって、２つのサブスロットは、時間的に近接して位置し、サブスロット間のタイミングが、チャネルが有意に変化するタイミングより遥かに小さいと仮定され得るため、第２のサブスロット内の情報を処理する時に行われるチャネル推定において使用されてもよい。トレーニングシンボルは、１つ以上のトレーニングビットを備えてもよい。
【００１１】
前述の技法はそれぞれ、独立して使用されてもよく、または技法の一部は、ともに使用されてもよい。
【図面の簡単な説明】
【００１２】
【図１】図１は、本明細書に説明される改良型通信スロット構造と方法を実装かつ利用するための方法および装置を実装する、例示的移動局ならびに例示的ネットワーク要素を含む、例示的モバイル通信システムのブロック図である。
【図２】図２は、図１の移動局および／またはネットワーク要素によって使用され得る、例示的伝送構成を例証する。
【図３】図３は、図１の移動局および／またはネットワーク要素によって使用され得る、例示的受信構成を例証する。
【図４】図４は、図２の伝送構成によって使用され得る、例示的信号生成器を例証する。
【図５】図５および６は、２つのサブスロットにおいて情報を送信するために、図４の信号生成器によって生成される、例示的周波数および時間領域信号を例証する。
【図６】図５および６は、２つのサブスロットにおいて情報を送信するために、図４の信号生成器によって生成される、例示的周波数および時間領域信号を例証する。
【図７】図７および８は、２つのサブスロットにおける基数２のシンボル配分を使用して、２つのサブスロットにおいて情報を送信するために、図４の信号生成器によって生成される、例示的周波数および時間領域信号を例証する。
【図８】図７および８は、２つのサブスロットにおける基数２のシンボル配分を使用して、２つのサブスロットにおいて情報を送信するために、図４の信号生成器によって生成される、例示的周波数および時間領域信号を例証する。
【図９】図９は、サブ帯域に対する例示的周波数領域信号および変調方式の例示的配分を例証する。
【図１０】図１０は、フレームに配分される周波数空間内のサブ帯域位置に基づいて、異なる変調方式を使用し得る、例示的コンバータ／シンボルマッパを例証する。
【図１１】図１１は、２つのサブ帯域におけるトレーニングおよびデータシンボルの配分を示す、図４の信号生成器によって生成される、例示的周波数領域信号を例証する。
【図１２】図１２は、例示的エンコーディング／変調プロセスを表す、フロー図である。
【図１３】図１３は、バーストフォーマッティングコードビットの例示的プロセスを表す、フロー図である。
【図１４】図１４は、シンボルを表す周波数領域信号をマップする例示的プロセスを表す、フロー図である。
【図１５】図１５は、例示的デコーティング／復調プロセスを表す、フロー図である。
【図１６】図１６は、前述のプロセスの一部または全部を実装するために使用される、例示的機械可読命令を実装し得る、例示的処理システムのブロック図である。
【発明を実施するための形態】
【００１３】
図面を参照すると、本明細書に開示される例示的通信スロット構造をサポートする、例示的モバイル通信システム１００のブロック図が、図１に例証される。モバイル通信システム１００は、ＧＰＲＳシステムまたはＥＧＰＲＳシステム等、（Ｅ）ＧＰＲＳベースの通信システムに対応する。ＧＰＲＳは、汎用パケット無線サービス（ｇｅｎｅｒａｌ  ｐａｋｅｃｔ  ｒａｄｉｏ  ｓｅｒｖｉｃｅ）の略であって、ＥＧＰＲＳは、拡張ＧＰＲＳの略であって、（Ｅ）ＧＰＲＳは、ＧＰＲＳシステムまたはＥＧＰＲＳシステムに準拠する実装を指す。開示される通信スロット構造は、（Ｅ）ＧＰＲＳシステムである、モバイル通信システム１００の文脈において説明されるが、開示される通信スロット構造は、多くの他の通信システムにおける使用のために容易に適応することができ、したがって、開示される通信スロット構造は、（Ｅ）ＧＰＲＳシステムのみにおける使用に限定されない。
【００１４】
図１のモバイル通信システム１００は、モバイル電話デバイス、固定電話を実装するモバイル電話デバイス、携帯情報端末（ＰＤＡ）等、任意のタイプの移動局またはユーザ終点機器によって実装され得る、移動局（ＭＳ）１０５を含む。モバイル通信システム１００はまた、基地局送受信機（ＢＴＳ）、基地局コントローラ（ＢＳＣ）、ネットワークコントローラ、ネットワークセル等のうちの１つ以上によって実装され得る、ネットワーク要素１１０を含む。１つのネットワーク要素１０５および１つのＭＳ１１０のみが、図１に例証されるが、モバイル通信システム１００は、任意の数のネットワーク要素およびＭＳをサポートすることができる。
【００１５】
本明細書に開示される例示的通信スロット構造のうちの１つ以上を実装するために、移動局１０５は、プロセッサ１２０、伝送構成１２５、および受信構成１３０を含む。同様に、ネットワーク要素は、プロセッサ１４０、伝送構成１４５、および受信構成１５０を含む。動作時、移動局１０５からネットワーク要素１１０に伝送されるべきデータは、プロセッサ１２０から伝送構成１２５にパスされる。以下に詳述されるように、いくつかの実施例では、伝送構成１２５は、データを、割り当てられたおよび／または配分されたＴＤＭＡスロットの間、２つ以上のＯＦＤＭシンボルとして、１つ以上のキャリア上に変調される、シンボルに変換し、そのうちの１つが、参照番号１６０に示される。詳述されるように、伝送構成は、ＴＤＭＡスロット１６０が、その間、シンボルが伝送される、２つ以上のサブスロット１６５、１７０に分割されるように、シンボルを処理してもよく、スロットあたり１つのＯＦＤＭシンボルが、伝送される。サブスロット１６５、１７０は、同じ持続時間を有してもよく、それによって、ＴＤＭＡスロット１６０の時間を等しく分割する。代替として、サブスロットは、異なる持続時間を有してもよい。加えて、２つのサブスロットが示されるが、ＴＤＭＡスロットは、任意の数のサブスロットを使用して、分割されてもよい。
【００１６】
一実施例では、情報を伝送するために使用されるＴＤＭＡタイムスロットは、エンコードされるべきビットの部分を搬送する少なくとも１つの他の時分割多元接続タイムスロットと時間的に分離する。加えて、あるフレーム内のあるタイムスロットは、ビットの一部を伝送するために使用されてもよく、別のフレーム内の第２のタイムスロットは、ビットの別の部分を伝送するために使用されてもよい。
【００１７】
それぞれ、ＯＦＤＭシンボルとして表される、サブスロット１６５、１７０は、シンボルを処理し、送信されたビットを取得し、それをプロセッサ１４０にパスする、ネットワーク要素１１０の受信構成１５０において受信される。受信構成１５０は、伝送構成１２５によってフォーマットされる情報を処理するように構成される。したがって、前述のように、伝送構成が、ＴＤＭＡスロット１６０を２つのサブスロット１６５、１７０に分割すると、受信構成１５０は、２つのサブスロットを処理するように構成される。
【００１８】
前述は、伝送構成１２５および受信構成１５０を使用する、移動局１０５からネットワーク要素１１０への通信の実施例を説明したが、ネットワーク要素１１０から移動局１０５への通信も、同様に行われる。プロセッサ１４０からのデータは、ＴＤＭＡスロット内の１つ以上のサブスロットにおいてデータを通信する、伝送構成１４５にパスされる。サブスロットは、サブスロットに含まれるデータを判定し、それをプロセッサ１２０にパスする、移動局１０５の受信構成１３０によって受信される。
【００１９】
移動局１０５およびネットワーク要素１１０のそれぞれにおける伝送構成、受信構成、ならびにプロセッサが、図１において、個別の要素として示されるが、そのような表現は、明確性の目的のために過ぎない。例えば、伝送構成および受信構成の一部または全部が、例えば、デジタル信号プロセッサまたは任意の他の好適なプロセッサであってもよい、プロセッサ内に実装され得る。
【００２０】
図２は、図１の伝送構成１２５等の例示的伝送構成を示す。プロセッサ（例えば、プロセッサ１２０）によって提供され得る、ユーザコード（すなわち、伝送されるべきビット）は、後述のように、ユーザコードをトレーニングビットによってインターリーブし、ビットシーケンスを形成する、バーストフォーマッタ２０５にパスされる。トレーニングビットまたはシンボル対データビットまたはシンボルの比は、固定される必要はない。ユーザコードビットは、３ＧＰＰＴＳ４５．００３：「Ｃｈａｎｎｅｌ  ｃｏｄｉｎｇ」（参照することによって本明細書に組み込まれる）において、ＥＰＧＲＳ２に関して規定されるように、チャネルコーディング後のペイロードビットである。３ＧＰＰ  ＴＳ４５．００１および４５．００２を説明する文書もまた、参照することによって本明細書に組み込まれる。代替として、バーストフォーマッタ２０５は、トレーニングビットを処理しなくてもよく、代わりに、信号生成器２１０は、事前に記憶されたおよび／または使用され得る所定のトレーニングシンボルを有してもよい。
【００２１】
バーストフォーマッタ２０５からのビットシーケンスは、ＯＦＤＭシンボルのうちの１つ以上として、伝送のために、ビットをシンボルおよび対応する信号にマップする、信号生成器２１０にパスされる。パルス整形器２１５は、信号生成器２１０から信号を受信し、通信規格に準拠するように、信号の周波数を整形する。整形されたパルスは、次いで、アンテナを介して、伝送のために、適切な振幅において、信号を無線周波数信号に変換する、増幅器およびアップコンバータ２２０にパスされる。したがって、信号生成器２１０によって生成される信号は、伝送される。
【００２２】
後述のように、バーストフォーマッタ２０５および信号生成器は、サブスロット内に信号を生成するように動作し、各サブスロットは、データおよび／またはトレーニングシンボルを含み、ＯＦＤＭシンボルによって表される。サブスロットの種々の部分のサブキャリアは、スロットの周波数スペクトルエッジに対して変調されるサブキャリアの場所に応じて、異なる変調方式に従って、変調されてもよい。
【００２３】
図３は、図１の受信構成１５０等の例示的受信構成を示す。一般に、受信構成１５０は、伝送構成１２５によって行われるものに相補的一連の動作を行う。このように、受信構成１５０は、伝送構成１２５によって、無線周波数信号に処理されたユーザコードを取得することができる。増幅器およびダウンコンバータ３０５は、アンテナから信号を受信し、それをベースバンド周波数に変換する。ベースバンド信号は、サブスロット内のシンボルを検出し、シンボルをビットに変換する、パルス検出器３１０にパスされる。ビットは、図２のバーストフォーマッタ２０５に提供されるユーザコードを復元する、バースト逆フォーマッタ３１５にパスされる。
【００２４】
図４は、図２の信号生成器２１０の例示的実装の付加的詳細を示す。前述のように、信号生成器２１０は、バーストフォーマッタ２０５から、相互にインターリーブされる、データビットおよびトレーニングシーケンスビットを含み得る、ビットのシリーズを受信する。バーストフォーマッタ２０５からのビットシリーズは、信号生成器３０５、３１０の第１および第２の分岐において受信される。後述のように、第１および第２の分岐３０５、３１０はそれぞれ、ビットシリーズの選択された部分をビットシリーズの選択された部分を表すＯＦＤＭシンボルに変換する。例えば、第１の分岐３０５は、シリーズの第１の６８ビットを処理してもよく、第２の分岐３１０は、シリーズの第２の６８ビットを処理してもよい。そのような配列では、第１の分岐３０５および第２の分岐３１０はそれぞれ、６８ビットを表す１つのＯＦＤＭシンボルを処理する。従来、単一ＯＦＤＭシンボルが、単一ＴＤＭＡスロット１６０を占有していたが、ＯＦＤＭシンボルはそれぞれ、ＴＤＭＡスロット１６０が、２つのＯＦＤＭシンボルを含むように、サブスロット１６５、１７０を占有する。
【００２５】
第１の分岐３０５は、シンボルマッパ３２０を含み、その出力は、Ｎ点逆離散フーリエ変換（ＩＤＦＴ）３２５に連結される。パラレル／シリアルコンバータ３３０は、Ｎ点ＩＤＦＴ３２５の出力に連結される。同様に、第２の分岐３１０は、シンボルマッパ３４０を含み、その出力は、Ｌ点逆離散フーリエ変換（ＩＤＦＴ）３４５に連結される。パラレル／シリアルコンバータ３５０は、Ｎ点ＩＤＦＴ３４５の出力に連結される。パラレル／シリアルコンバータ３３０、３５０はそれぞれ、サイクリックプレフィックスをそれが生成する各ＯＦＤＭ本体にプリペンドする、サイクリックプレフィックス加算器を含んでもよい。一実施例では、サイクリックプレフィックスは、ＩＤＦＴ（例えば、Ｎ点ＩＤＦＴ３２５）からの最後の６つのサンプルの複製である。パラレル／シリアルコンバータ３３０、３５０からの出力は、パラレル／シリアルコンバータ３３０からの出力とパラレル／シリアルコンバータ３５０の出力との間の選択を交互する、セレクタ３６０に連結される。
【００２６】
第１の分岐３０５のある動作モードでは、シンボルマッパ３２０は、バーストフォーマッタ２０５から、ビットのシリーズを受信し、そのシリーズを、その一部が、データビットから成り得、その一部が、トレーニングビットから成り得る、情報を表す周波数領域内におけるシンボルのパラレル配列（すなわち、シンボルのパラレル配列）に変換する。シンボルマッパ３２０によってマップするために選択されたビットの数は、後述のように、変動し得る、シンボルマッパによって使用される変調方式に依存する。図４では、本パラレル配列は、Ｓ０［ｋ］…ＳＮ−１［ｋ］として表される。図５は、シンボルマッパ３２０からの出力の例示的周波数領域表現５００を示し、Ｎは、６８のシンボルである。図５に示されるように、いくつかのビットを表し得る、各シンボルは、例えば、３．８ｋＨｚの帯域幅を有する、サブキャリア（例えば、５０５、５１０等）を変調することによって表される。
【００２７】
シンボルを表す周波数情報のパラレル配列（Ｓ０［ｋ］…ＳＮ−１［ｋ］）は、次いで、Ｎ点ＩＤＦＴ３２５（ここでは、Ｎ＝６８）によって処理され、例えば、シンボルを表す周波数情報に対応する、Ｘ０［ｋ］…ＸＮ−１［ｋ］として表される、Ｎ時間領域サンプルを生成する。集合的に、６８のシンボルを表す、時間領域サンプルは、次いで、サイクリックプレフィックスをシリーズにプリペンドする、パラレル／シリアルコンバータ３３０に提供される。パラレル／シリアルコンバータ３３０からの出力シリーズは、ＸＮ−ｍ［ｋ］…ＸＮ−１［ｋ］、Ｘ０［ｋ］…ＸＮ−１［ｋ］によって表され、本実施例では、ｍは、１から６に及ぶ、サイクリックプレフィックスを表す指数である。代替として、サイクリックプレフィックスは、アナログ領域にプリペンドされてもよく、整数のサンプルである必要はない。パラレル／シリアルコンバータ３３０からの出力の時間領域表現は、図５では、参照番号５５０に示される。示されるように、時間領域表現は、周波数領域表現５００（すなわち、集合的に、６８のシンボルを表すサンプルを含む、時間領域信号）に対応する時間領域を表す第１の部分５５５を含み、また、第１の部分５５５の最後の６つのサンプルの複製である、サイクリックプレフィックス５６０を含む。したがって、１つのＯＦＤＭシンボルと称される、時間領域信号５５０は、情報５５５の６８のシンボルを表し、６つのサンプルサイクリックプレフィックス５６０を含む。
【００２８】
前述のように、第１および第２の分岐３０５、３１０は、ビットをＯＦＤＭシンボルに変換するように動作する。第２の分岐３１０のある動作モードでは、シンボルマッパ３４０は、バーストフォーマッタ２０５からビットのシリーズを受信し、そのシリーズを、その一部が、データビットであり得、その一部が、トレーニングビットであり得る、情報を表す、周波数領域内のシンボルのパラレル配列に変換する。シンボルマッパ３４０によってマップするために選択されたビットの数は、後述のように、変動し得る、シンボルマッパによって使用される変調方式に依存する。第２の分岐３１０に対して、本パラレル配列は、Ｓ’０［ｋ］…Ｓ’Ｌ−１［ｋ］として表される。図６は、シンボルマッパ３４０からの出力の例示的周波数領域表現６００を示し、Ｌは、６８のシンボルである。図６に示されるように、各シンボルは、例えば、３．８ｋＨｚの帯域幅を有する、サブキャリア（例えば、６０５、６１０等）を変調することによって表される。
【００２９】
シンボルを表す周波数情報のパラレル配列（Ｓ’０［ｋ］…Ｓ’Ｎ−１［ｋ］）は、次いで、Ｌ点ＩＤＦＴ３４５（ここでは、Ｌ＝６８）によって処理され、例えば、シンボルを表す周波数情報に対応する、Ｘ’０［ｋ］…Ｘ’Ｌ−１［ｋ］として表される、Ｌ時間領域サンプルを生成する。時間領域サンプルは、次いで、サイクリックプレフィックスをシリーズにプリペンドする、パラレル／シリアルコンバータ３５０に提供される。パラレル／シリアルコンバータ３３０からの出力シリーズは、Ｘ’Ｌ−ｎ［ｋ］…Ｘ’Ｌ−１［ｋ］、Ｘ’０［ｋ］…Ｘ’Ｌ−１［ｋ］によって表され、ｎは、１から６に及ぶ、サイクリックプレフィックスを表す指数である。パラレル／シリアルコンバータ３５０からの出力の時間領域表現は、図６では、参照番号６５０に示される。示されるように、時間領域表現は、周波数領域表現６００に対応する時間領域を表す第１の部分６５５を含み、また、第１の部分６５５の最後の６つのサンプルの複製である、サイクリックプレフィックス６６０を含む。したがって、１つのＯＦＤＭシンボルと称される、時間領域信号６５０は、情報６５５の６８のシンボルを表し、６つのサンプルサイクリックプレフィックス６６０を含む。
【００３０】
パラレル／シリアルコンバータ３３０、３５０からの出力は、コンバータ３３０、３５０のうちの１つからの出力を選択し、それぞれ、ＯＦＤＭシンボルを含む、２つのサブスロット１６５、１７０を含む、タイムスロット１６０を作成する、セレクタ３６０に提供される。
【００３１】
前述の実施例は、通信シンボル（データおよびトレーニングシンボルの両方）が、２つのサブスロットとその対応するＯＦＤＭシンボルとの間で等しく分割される状況を説明したが、サブスロットへの他のシンボル配分も可能である。加えて、各サブスロットは、各ＯＦＤＭシンボル内で同一比のデータシンボル対トレーニングシンボルを留保する必要はなく、可変長のサイクリックプレフィックスを有してもよい。例えば、各サブスロットが、ＯＦＤＭシンボルによって表される、基数２のシンボル数を含むように、サブスロット間でシンボルを分割可能である。そのような実施例の１つは、図７および図８に示される。
【００３２】
図７は、周波数領域表現７００に示される、１２８のシンボル（基数２のシンボル数）を含む、第１のサブスロットへのシンボル配分を示す。表現７００では、各シンボルは、２．１ｋＨｚの帯域幅を有するサブキャリア上にエンコードされる。表現７００は、シンボルマッパ３２０を使用して生成され、周波数領域内に１２８のシンボルを生成してもよい。周波数領域表現７００は、次いで、Ｎ点ＩＤＦＴ３２５（ここでは、Ｎ＝１２８）を使用する、１２８点ＩＤＦＴによって、時間領域信号７１０に変換されてもよく、１２８のシンボルを表し、６つの時間領域サイクリックプレフィックスサンプルを含む、時間領域信号をもたらす。
【００３３】
図８に示されるように、周波数領域における８つのシンボル（基数２のシンボル数）は、各シンボルが、３４ｋＨｚの帯域幅を占有するように、図４のシンボルマッパ３４０によって生成されてもよい。周波数領域内のシンボルの表現は、参照番号８００に示される。周波数領域表現８００は、次いで、Ｌ点ＩＤＦＴ３４５（ここでは、Ｌ＝８）を使用する、８点ＩＤＦＴによって、時間領域信号８１０に変換されてもよく、８シンボルを表し、６つのサイクリックプレフィックスサンプルを含む、時間領域信号をもたらす。
【００３４】
図７および８に示されるように、例えば、全データシンボルおよびいくつかのトレーニングシンボルを搬送する、ＯＦＤＭシンボル１（参照番号７１０に示される）は、２．１ｋＨｚのサブキャリア間隔を有する一方、例えば、トレーニングシンボルのみ搬送する、ＯＦＤＭシンボル２（参照番号８１０に示される）は、３４ｋＨｚのサブキャリア間隔を有する。高ドップラースプレッドによるリンク性能の損失に対する移動体の感度は、サブキャリア間隔の増加に伴って、感度が弱くなることが知られているため、２つのＯＦＤＭシンボルは、特に、高速シナリオにおいて、異なる保護をもたらす。
【００３５】
前述のように、スペクトル整形は、伝送帯域のエッジにおけるサブキャリアが、帯域の中心におけるものより低いエネルギーを有することを要求する。サブキャリアエネルギーのこの一般的な特徴的整形は、図９に示され、伝送帯域の低および高端における第１および第２のサブキャリア９０５、９１０は、伝送帯域９１５の中央における第３のサブキャリアより少ないエネルギーを有する。図９に示されるように、サブキャリアのスペクトル整形による不均一誤り保護の影響を緩和するために、変調秩序は、伝送帯域にわたって異なることができ、低次変調方式は、帯域エッジにおけるサブキャリアに適用され、比較的高次変調方式は、伝送帯域の中心に適用される。
【００３６】
図１０に示されるように、可変変調シンボルマッパ１０００は、異なる変調秩序を異なるサブキャリアＳｉ［ｋ］に適用するために使用されてもよい。可変変調シンボルマッパ１０００は、図４のシンボルマッパ３２０、３４０の代わりに使用されてもよい。一実施例では、可変変調シンボルマッパ１０００は、ＥＧＰＲＳ２に対して現在規定されている全変調方式（例えば、二相位相変調（ＢＰＳＫ）、直角位相振幅変調（ＱＰＳＫ）、直角振幅変調（ＱＡＭ）の異なるバージョン等）をサポートしてもよい。加えて、６４−ＱＡＭのような高次変調方式が、実装され得る。現在のチャネル条件による全体的誤り保護要件に基づいて選択されたコーディング方式（ＥＧＰＲＳ２における通常のリンク適応に類似）に従って、チャネルエンコーディング後、可変変調シンボルマッパ１０００は、具体的サブキャリアのために選択された変調のために要求される入力ビットの数に従って、ビット入力データストリームを分割する。例えば、最も低い４つのサブキャリア（参照番号９０５、９２０、９２５、９３０に示される）が、ＢＰＳＫ変調され（例えば、１ビット／シンボルを搬送する変調方式）、次のサブキャリアが、１６−ＱＡＭ（例えば、４ビット／シンボルを搬送する変調方式）を使用して、変調されるべき場合、以下のマッピングが行われる。
【００３７】
【表１】
2013527716.tif 000003
一実施例では、トレーニングシンボルは、伝送帯域エッジに配置され、チャネル推定における可用性を提供するだけではなく、また、シンボルを搬送するデータに及ぼす不均一誤り保護の影響を緩和してもよい。本概念は、例えば、規格によって規定される、所定および／または定義された様式において、伝送帯域にわたって、トレーニングシンボル、ひいては、データシンボルの非均一分布、またはインターレーシングにも一般化することができる。結果として生じる利点として、低サブキャリアパワースペクトル密度を伴う面積に高密度の伝送シンボルを提供することによる、不均一チャネル推定誤りの緩和と、低密度のデータ搬送シンボルを有することによる、データに及ぼす不均一誤り保護の影響の緩和が挙げられる。
【００３８】
高次変調が、予備サブキャリアをもたらす場合、これらのサブキャリアは、非占有のままである、パディングビットを搬送する、または受信機に定義されていないシンボルを搬送することができる。サブキャリアが、非占有のままである場合、近隣セルへの干渉は、低減される。代替として、予備サブキャリアが、パディングビットを搬送するために使用される時、これらのサブキャリアは、例えば、ビットの所定のシーケンスを搬送する、または全ゼロシーケンスに設定することができる。予備サブキャリアが、受信機に定義されていないシンボルを搬送する時、これらのサブキャリアは、例えば、送信機において、ピーク対平均電力比（ＰＡＰＲ）を低減するために使用することができる。
【００３９】
実施例として、シンボルマッピング技法は、ＯＦＤＭシンボル１の場合、４つの集合（Ｂ＝０、１、２、３、４）：ｄ［０］…ｄ［４４９］、ｄ［４５０］…ｄ［８９９］、ｄ［９００］…ｄ［１３４９］、およびｄ［１３５０］…ｄ［１７９９］において、１８００のインターリーブされたビットｄ［０］…ｄ［１７９９］を処理するステップを含む。
【００４０】
【化１−１】
2013527716.tif 000004
【００４１】
【化１−２】
2013527716.tif 000005
これらの下位集合は、３ＧＰＰＴＳ４５．００４に規定されるような配置点上にマップされる。
【００４２】
トレーニングシーケンスシンボルは、以下のルールに従って、残りの位置にインターレースされる。
Ｂ＝０，１，２，３の場合、以下となる。
【００４３】
【化２−１】
2013527716.tif 000006
【００４４】
【化２−２】
2013527716.tif 000007
ＴＳ＿８ＰＳＫ（ｉ）が、ビット番号｛ＢＮ（１８３＋３ｉ）、ＢＮ（１８４＋３ｉ）、ＢＮ（１８５＋３ｉ）｝によって、８ＰＳＫに対して規定されたトレーニングシーケンスシンボルを示す場合、ＴＳ＿１６ＱＡＭ（ｉ）は、ビット番号｛ＢＮ（２４４＋３ｉ）、ＢＮ（２４５＋３ｉ）、ＢＮ（２４６＋３ｉ）｝によって、１６ＱＡＭに対して規定されたトレーニングシーケンスシンボルを示し、およびＴＳ＿３２ＱＡＭ（ｉ）は、ビット番号｛ＢＮ（３０５＋３ｉ）、ＢＮ（３０６＋３ｉ）、ＢＮ（３０７＋３ｉ）｝によって、３２ＱＡＭに対して規定されたトレーニングシーケンスシンボルを示す（３ＧＰＰＴＳ４５．００２参照）。
【００４５】
これは、ＯＦＤＭシンボル１のためのサブキャリアのベクトルをもたらす。
【００４６】
ＯＦＤＭシンボル２の場合、１６ＱＡＭ（３ＧＰＰ  ＴＳ４５．００２参照）に対するトレーニングシーケンスシンボルの最後の８つのシンボルは、３ＧＰＰ  ＴＳ４５．００２に規定されるような配置点上にマップされる。
【００４７】
前述のように、トレーニングシンボルおよびデータシンボルは、任意の所望の様式において、ＯＦＤＭシンボル全体を通して、分布またはインターレースされてもよい。しかしながら、ある実施例では、特定の様式において、トレーニングシンボルを分布することが有益であってもよい。例えば、図１１を参照すると、２つのＯＦＤＭシンボル１１００、１１０５が、周波数領域に示される。図１１に示されるように、第１のＯＦＤＭシンボル１１００は、伝送帯域の最低周波数にトレーニングシンボル１１１０を含むが、伝送帯域の最高周波数にデータシンボル１１１５を含む。対照的に、第２のＯＦＤＭシンボル１１０５は、伝送帯域の最高周波数にデータシンボル１１２０を含み、伝送帯域の最高周波数にトレーニングシンボル１１２５を含む。スロットを構成する一対のＯＦＤＭシンボルの場合、ＯＦＤＭシンボルのうちの一方は、低周波数トレーニングシンボル（例えば、トレーニングシンボル１１１０）を含み、他方のＯＦＤＭシンボルは、高周波数トレーニングシンボル（例えば、トレーニングシンボル１１２５）を含むと規定することは、技法を簡略化し、より優れたチャネル推定正確性をもたらす。トレーニングシンボルのそのような配分は、したがって、データシンボルが、（別のＯＦＤＭシンボル内の）トレーニングシンボルと同一サブキャリアを占有する、またはトレーニングシンボルを含有するサブキャリアによって、周波数内で囲繞されるサブキャリアを占有するであろうと保証されるため、全データ搬送サブキャリアに対するチャネル推定において、補間アプローチを使用可能にする。例えば、図１１に示されるように、データサブキャリアＤ１…Ｄｐ−２、Ｄｐ＋１…Ｄ１１６は、少なくとも、トレーニングシンボルＴＳ１…ＴＳ２６によって、周波数内で囲繞され、したがって、チャネル推定は、少なくとも、関連トレーニングシンボル間の周波数内で補間することによって進めることができる。加えて、データサブキャリアＤｐ−１およびＤｐは、ＴＳ１およびＴＳ２６と同一サブキャリアを占有し、そのチャネル推定は、これらの２つのトレーニングシンボルのみ使用して、推定することができる。周波数スペクトル内へのデータシンボルおよびトレーニングシンボルの配置は、固定および標準化されてもよい。
【００４８】
サブキャリアに対する変調秩序の選択ならびにデータストリーム内へのトレーニングシンボルの配置は、所定の様式で行われてもよい。しかしながら、高速フィードバックチャネルの存在によって、サブキャリア変調の動的適応を行うことが可能であろう。
【００４９】
移動局１０５またはネットワーク要素１１０によって行われ得る、例示的プロセスを表す流れ図が、図１２−１５に示される。これらの実施例では、各流れ図によって表されるプロセスは、（ａ）図１６に関連して後述される例示的処理システム１６００に示される、プロセッサ１６１２等のプロセッサ、（ｂ）コントローラ、および／または（ｃ）デジタル信号プロセッサ（ＤＳＰ）等の任意の他の好適なデバイスによって実行するための機械可読命令を備える、１つ以上のプログラムによって実装されてもよい。１つ以上のプログラムは、例えば、フラッシュメモリ、ＣＤ−ＲＯＭ、フロッピー（登録商標）ディスク、ハードドライブ、ＤＶＤ、またはプロセッサ１６１２と関連付けられたメモリ等の有形媒体上に記憶される、ソフトウェア内に具現化されてもよいが、プログラム全体または複数のプログラムおよび／またはその一部は、代替として、プロセッサ１６１２以外のデバイスによって実行される、および／またはファームウェアまたは専用ハードウェア（例えば、特定用途向け集積回路（ＡＳＩＣ）、プログラマブル論理デバイス（ＰＬＤ）、フィールドプログラマブル論理デバイス（ＦＰＬＤ）、離散論理等によって実装される）内に具現化され得る。
【００５０】
例えば、伝送構成１２５および受信構成１５０の一部または全部、あるいは、ついでに言えば、図１に示される機能のいずれも、ソフトウェア、ハードウェア、および／またはファームウェアの任意の組み合わせによって実装され得る。また、図１２−１５の流れ図によって表されるプロセスの一部または全部は、相互に実装されてもよい。さらに、例示的プロセスが、図１２−１５に例証される流れ図を参照して説明されるが、本明細書に説明される例示的方法および装置を実装するための多くの他の技法が、代替として、使用されてもよい。例えば、図１２−１５に例証される流れ図を参照すると、ブロックの実行の順序は、変更されてもよく、および／または説明されるブロックの一部は、変更、排除、組み合わせ、および／または複数のブロックに細分化されてもよい。
【００５１】
図２の伝送構成１２５を実装するために実行され得る、例示的プロセス１２００が、図１２に例証される。プロセス１２００は、図２のバーストフォーマッタ２０５、信号生成器２１０、パルス整形器２１５、ならびに増幅器およびコンバータ２２０によって行われる、またはそれを実装するために使用されてもよい。図３の例示的伝送構成１２５を参照すると、プロセス１２００において、バーストフォーマッタ２０５は、エンコードおよび伝送されるべきコードビットを受信する（ブロック１２０５）。ビットは、例えば、オーディオ、ビデオ、データ、または任意の他の好適な情報および／またはデータを示す、ユーザコードであってもよい。バーストフォーマッタ１２１０は、コードビットをフォーマットし、これは、図１３に関連して説明されるように、トレーニングビットによって、データまたはコードビットをインターリービングするステップと、サブスロット間にシンボルを配分するステップと、を含んでもよい（ブロック１２１０）。
【００５２】
コードビットがフォーマットされた後、図４の実施例に示されるように、実装され得る、信号生成器２１０は、ビットをシンボルを表す周波数領域信号にマップする（ブロック１２１５）。マッピングに関するさらなる詳細は、図１４に関連して提供される。マッピングは、２つ以上のサブスロットがそれぞれ、シンボルの一部を搬送するように使用され得る（すなわち、２つのＯＦＤＭシンボルが、ＴＤＭＡスロット毎に搬送され得る）ような様式で行われてもよい。加えて、マッピングは、１つ以上の変調方式を使用して行われてもよく、したがって、シンボル毎のビットの数は、周波数の伝送帯域にわたって変動し得る。
【００５３】
周波数領域信号がマップされた後（ブロック１２１５）、信号生成器２１０は、周波数領域信号を時間領域に変換する（ブロック１２２０）。周波数領域信号の生成および時間領域へのその変換は、別個に示されるが、信号生成器は、実際は、すべて１つのプロセスにおいて、バーストフォーマットされたビットを直接時間領域信号にマップしてもよく、それによって、周波数領域信号を時間領域に変換する特定の処理を排除する。
【００５４】
信号生成器２１０は、次いで、サイクリックプレフィックスを時間領域信号にプリペンドする（ブロック１２２５）。サイクリックプレフィックスは、例えば、時間領域信号のサンプルのいくつかの最後の数の反復であってもよい（例えば、６つのサンプル）。代替として、サイクリックプレフィックスは、任意の他の様式で行われてもよい。プロセスの本時点において、サイクリックプレフィックスを含む、時間領域信号は、ＯＦＤＭシンボルと称されてもよい。
【００５５】
時間領域信号が、信号生成器２１０において生成された後、パルス整形器２１５は、時間領域波形を整形し、伝送帯域幅要件および制約に準拠することを確実にする（ブロック１２３０）。パルス整形は、信号生成と別個として示されるが、パルス整形は、シンボルへのビットのマッピングの間、または伝送構成１２５内の任意の他の好適な時点において、行われてもよいため、これは、必ずしも、該当しない。
【００５６】
増幅器およびアップコンバータ２２０は、次いで、キャリア波を変調し、時間領域信号を通信する（ブロック１２３５）。キャリア波の変調は、時間領域信号（すなわち、ＯＦＤＭシンボル）を受信機に転送する任意の様式で行われてもよい。
【００５７】
コードビットをバーストフォーマットするために実行され得る、例示的プロセス１２１０は、図１３に例証される。プロセス１２１０は、図２のバーストフォーマッタ２０５によって行われる、またはそれを実装するために使用されてもよい。バーストフォーマッタ２０５は、コードビットを受信し、コードビットをトレーニングビットによってインターリーブする（ブロック１３０５）。このように、トレーニングビットは、コードビットを表すために使用される周波数が、トレーニングビットによって、周波数内で境界される、またはトレーニングビットと周波数を共有するであろうように、所定の様式において、コードビット全体を通して分布される。当然ながら、コードおよびトレーニング情報の混合は、シンボルレベルで行われてもよく、その場合、コードシンボルは、トレーニングシンボルによって、周波数内でインターリーブされるであろう。
【００５８】
バーストフォーマッタ２０５はまた、コードおよびトレーニングビットの一部が、ＴＤＭＡタイムスロットの一部内に常駐するように配分する（ブロック１３１０）。例えば、バーストフォーマッタ２０５は、トレーニングおよびコードビットの最初の半分を、時間的に、ＴＤＭＡスロットの最初の半分（例えば、サブスロット１６５）にのみ対応する、完全伝送帯域幅スペクトルに配分してもよい。
【００５９】
バーストフォーマッタ２０５は、次いで、コードおよびトレーニングビットの一部が、第１の部分と異なるＴＤＭＡタイムスロットの一部内に常駐するように配分する（ブロック１３１５）。例えば、バーストフォーマッタ２０５は、トレーニングおよびコードビットの残りの半分を、時間的に、ＴＤＭＡスロットの残りの半分（例えば、サブスロット１７０）にのみ対応する、完全伝送帯域幅スペクトルに配分してもよい。
【００６０】
ビットをシンボルを表す周波数領域信号にマップするために実行され得る、例示的プロセス１２１５は、図１４に例証される。プロセス１２１５は、図４に示されるように実装され得る、バーストフォーマッタ信号生成器２１０によって行われる、またはそれを実装するために使用されてもよい。信号生成器２１０は、バーストフォーマットされたビットを受信し、各サブキャリアに対して、以下の処理を行う（ブロック１４０５）。信号生成器２１０は、伝送帯域幅内のサブキャリア位置を評価し（ブロック１４１０）、サブキャリアの位置に基づいて、変調方式を選択する（ブロック１４１５）。例えば、前述のように、低ビットレート変調方式（例えば、ＢＰＳＫ等）は、信号エネルギーが減衰される、伝送帯域のエッジまたはその近傍におけるサブキャリアに対して選択されてもよい。対照的に、高ビットレート変調方式（例えば、６４−ＱＡＭ等）は、伝送帯域のエッジ近傍ではないサブキャリアに対して選択されてもよい。
【００６１】
変調方式が選択された後（ブロック１４１５）、変調のためのビットが選択される（ブロック１４２０）。前述のように、異なる変調方式は、シンボルあたりのビットの異なる数に対応する。したがって、可変数のビットは、そのシンボルに対してサブキャリアによって使用される変調方式に基づいて、シンボルによって表されてもよい。したがって、１６−ＱＡＭ変調方式の場合、４ビットが選択される一方、ＢＰＳＫ変調方式の場合、２ビットが選択される。
【００６２】
ビットおよび変調方式が選択された後、ビットは、選択された変調方式に基づいて、シンボルにマップされる（ブロック１４２５）。前述のように、異なる数のシンボルが、異なるＯＦＤＭシンボル内に含まれてもよい。したがって、全利用可能なサブキャリアが、ビットをシンボルにマップする時に使用される必要はなく、複数のサブスロットが、前述のように、使用されてもよい。
【００６３】
デコーティングおよび復調を行うために実行され得る、例示的プロセス１５００が、図１５に例証される。プロセス１５００は、図１および２の受信構成１５０によって行われる、またはそれを実装するために使用されてもよい。図２を参照すると、増幅器およびダウンコンバータ３０５は、信号をアンテナから受信し、さらなる処理のために、それをベースバンドに変換する（ブロック１５０５）。パルス検出器３１０は、次いで、受信した信号を周波数領域に変換する（ブロック１５１０）。
【００６４】
周波数領域信号は、次いで、それらが表すシンボルを判定するようにデコードされ、有利には、本デコーティングは、サブスロットにわたって生じてもよく、第１のサブスロットからの情報は、第２のサブスロット内の情報のデコーディングの間に使用されてもよい（ブロック１５１５、１５２０）。例えば、第１のサブスロット内のトレーニングシンボルは、第２のサブスロット内のデータシンボルをデコードするために使用されてもよい。そのような配列は、チャネル推定が、シンボルの適切なデコーディングを支援するのを促進する。
【００６５】
タイムスロットからの信号が処理された後、信号は、シンボルに変換される（ブロック１５２５）。シンボルはさらに、ビットに変換される（ブロック１５３０）。
【００６６】
図１６は、本明細書に開示される装置および方法を実装可能な例示的処理システム１６００のブロック図である。処理システム１６００は、例えば、移動局処理プラットフォーム、ネットワーク要素処理プラットフォーム、サーバ、パーソナルコンピュータ、携帯情報端末（ＰＤＡ）、インターネット機器、携帯電話、または任意の他のタイプのコンピューティングデバイスであることができる。
【００６７】
本実施例のシステム１６００は、汎用プログラマブルプロセッサ等のプロセッサ１６１２を含む。プロセッサ１６１２は、ローカルメモリ１６１４を含み、ローカルメモリ１６１４および／または別のメモリデバイス内に存在する、コード化された命令１６１６を実行する。プロセッサ１６１２は、とりわけ、機械可読命令を実行し、図３−６に表されるプロセスを実装してもよい。プロセッサ１６１２は、Ｉｎｔｅｌ（登録商標）  Ｃｅｎｔｒｉｎｏ（登録商標）ファミリーのマイクロプロセッサ、Ｉｎｔｅｌ（登録商標）  Ｐｅｎｔｉｕｍ（登録商標）ファミリーのマイクロプロセッサ、Ｉｎｔｅｌ（登録商標）  Ｉｔａｎｉｕｍ（登録商標）ファミリーのマイクロプロセッサからの１つ以上のマイクロプロセッサ、および／またはＩｎｔｅｌ  ＸＳｃａｌｅ（登録商標）ファミリーのプロセッサ、ＡＲＭ（登録商標）ファミリーのマイクロコントローラ、ＰＩＣ（登録商標）ファミリーのマイクロコントローラ等からの１つ以上のマイクロコントローラ等、任意のタイプの処理ユニットであってもよい。当然ながら、他のファミリーからの他のプロセッサもまた、適切である。
【００６８】
プロセッサ１６１２は、バス１６２２を介して、揮発性メモリ１６１８および不揮発性メモリ１６２０を含む、メインメモリと通信する。揮発性メモリ１６１８は、静的ランダムアクセスメモリ（ＳＲＡＭ）、同期動的ランダムアクセスメモリ（ＳＤＲＡＭ）、動的ランダムアクセスメモリ（ＤＲＡＭ）、ＲＡＭＢＵＳ動的ランダムアクセスメモリ（ＲＤＲＡＭ）、および／または任意の他のタイプのランダムアクセスメモリデバイスによって実装されてもよい。不揮発性メモリ１６２０は、フラッシュメモリおよび／または任意の他の所望のタイプのメモリデバイスによって実装されてもよい。メインメモリ１６１８、１６２０へのアクセスは、典型的には、メモリコントローラ（図示せず）によって制御される。
【００６９】
処理システム１６００はまた、インターフェース回路１６２４を含む。インターフェース回路１６２４は、イーサネット（登録商標）インターフェース、ユニバーサルシリアルバス（ＵＳＢ）、および／または第三世代入力／出力（３ＧＩＯ）インターフェース等、任意のタイプのインターフェース規格によって実装されてもよい。
【００７０】
１つ以上の入力デバイス１６２６は、インターフェース回路１６２４に接続される。入力デバイス１６２６は、ユーザが、データおよびコマンドをプロセッサ１６１２に入力するのを可能にする。入力デバイスは、例えば、キーボード、マウス、タッチスクリーン、トラックパッド、トラックボール、アイソポイント、および／または音声認識システムによって実装することができる。
【００７１】
１つ以上の出力デバイス１６２８はまた、インターフェース回路１６２４に接続される。出力デバイス１６２８は、例えば、ディスプレイデバイス（例えば、液晶ディスプレイ、ブラウン管ディスプレイ（ＣＲＴ））によって、プリンタによって、および／またはスピーカによって、実装することができる。インターフェース回路１６２４は、したがって、典型的には、グラフィックスドライバカードを含む。
【００７２】
インターフェース回路１６２４はまた、モデムまたはネットワークインターフェースカード等の通信デバイスを含み、ネットワーク（例えば、イーサネット（登録商標）接続、デジタル加入者回線（ＤＳＬ）、電話回線、同軸ケーブル、携帯電話システム等）を介して、外部コンピュータとのデータの交換を促進する。
【００７３】
処理システム１６００はまた、ソフトウェアおよびデータを記憶するための１つ以上の大容量記憶デバイス１６３０を含む。そのような大容量記憶デバイス１６３０の実施例として、フロッピー（登録商標）ディスクドライブ、ハードドライブディスク、コンパクトディスクドライブ、およびデジタル多用途ディスク（ＤＶＤ）ドライブが挙げられる。
【００７４】
図１６の処理システム等のシステムにおいて、本明細書に説明される方法および／または装置を実装する代替として、本明細書に説明される方法および／または装置は、プロセッサおよび／またはＡＳＩＣ（特定用途向け集積回路）等の構造内に内蔵されてもよい。
【図１】
2013527716.tif 000008
【図２】
2013527716.tif 000009
【図３】
2013527716.tif 000010
【図４】
2013527716.tif 000011
【図５】
2013527716.tif 000012
【図６】
2013527716.tif 000013
【図７】
2013527716.tif 000014
【図８】
2013527716.tif 000015
【図９】
2013527716.tif 000016
【図１０】
2013527716.tif 000017
【図１１】
2013527716.tif 000018
【図１２】
2013527716.tif 000019
【図１３】
2013527716.tif 000020
【図１４】
2013527716.tif 000021
【図１５】
2013527716.tif 000022
【図１６】
2013527716.tif 000023
【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
エンコードされるべきビット集合の第１の部分を時分割多元接続タイムスロットの第１の部分の間に伝送されるべき第１の直交周波数分割多重シンボルに変換することと、
エンコードされるべき前記ビット集合の第２の部分を時分割多元接続タイムスロットの第２の部分の間に伝送されるべき第２の直交周波数分割多重シンボルに変換することと
を含む方法であって、
前記ビット集合の第１の部分を前記第１の直交周波数分割多重シンボルに変換することは、前記ビット集合の第１の部分を１つ以上の変調されたサブキャリアによって表される１つ以上のシンボルにマップすることを含み、
前記１つ以上のサブキャリアは、異なる変調方式に従って、変調される、方法。
【請求項２】
一次の変調方式は、伝送帯域のエッジ近傍の１つ以上のサブキャリアを変調する際に使用され、前記一次より高次の二次の変調方式は、前記伝送帯域の中央近傍の１つ以上のサブキャリアを変調するために使用される、請求項１に記載の方法。
【請求項３】
サブキャリアの振幅は、スペクトル放出要件に準拠するように減衰される、請求項２に記載の方法。
【請求項４】
前記スペクトル放出要件は、ＥＧＰＲＳバーストを伝送することに関係する要件である、請求項３に記載の方法。
【手続補正２】
【補正対象書類名】明細書
【補正対象項目名】００１１
【補正方法】変更
【補正の内容】
【００１１】
前述の技法はそれぞれ、独立して使用されてもよく、または技法の一部は、ともに使用されてもよい。
本発明は、例えば、以下を提供する。
（項目１）
エンコードされるべきビット集合の第１の部分を時分割多元接続タイムスロットの第１の部分の間に伝送されるべき第１の直交周波数分割多重シンボルに変換することと、
エンコードされるべき上記ビット集合の第２の部分を時分割多元接続タイムスロットの第２の部分の間に伝送されるべき第２の直交周波数分割多重シンボルに変換することと
を含む、方法。
（項目２）
上記時分割多元接続タイムスロットは、エンコードされるべき上記ビットの部分を搬送する少なくとも１つの他の時分割多元接続タイムスロットと時間的に分離する、項目１に記載の方法。
（項目３）
上記ビット集合の第１の部分を上記第１の直交周波数分割多重シンボルに変換することは、上記ビット集合の第１の部分を１つ以上の変調されたサブキャリアによって表される１つ以上のシンボルにマップすることを含む、項目１または２に記載の方法。
（項目４）
上記１つ以上のサブキャリアは、異なる変調方式に従って、変調される、項目３に記載の方法。
（項目５）
一次の変調方式は、伝送帯域のエッジ近傍の１つ以上のサブキャリアを変調する際に使用され、上記一次より高次の二次の変調方式は、上記伝送帯域の中央近傍の１つ以上のサブキャリアを変調するために使用される、項目３または４に記載の方法。
（項目６）
１つ以上のトレーニングシンボルが、１つ以上のサブキャリア上に変調される、項目３または４または５に記載の方法。
（項目７）
少なくとも１つのトレーニングシンボルが、上記第１の直交周波数分割多重シンボルまたは上記第２の直交周波数分割多重シンボルのうちの１つの低周波数サブキャリア上に変調される、項目６に記載の方法。
（項目８）
少なくとも１つのトレーニングシンボルが、上記第１の直交周波数分割多重シンボルまたは上記第２の直交周波数分割多重シンボルのうちの１つの高周波数サブキャリア上に変調される、項目７に記載の方法。
（項目９）
少なくとも１つのトレーニングシンボルが、上記第１の直交周波数分割多重シンボルの低周波数サブキャリア上に変調され、少なくとも１つのトレーニングシンボルが、上記第２の直交周波数分割多重シンボルの高周波数サブキャリア上に変調される、項目６に記載の方法。
（項目１０）
上記ビット集合の第１の部分を上記第１の直交周波数分割多重シンボルに変換することは、上記ビット集合の第１の部分を基数２のシンボル数にマップすることを含む、項目１に記載の方法。
（項目１１）
上記ビット集合の第２の部分を上記第２の直交周波数分割多重シンボルに変換することは、上記ビット集合の第２の部分を基数２のシンボル数にマップすることを含む、項目１０に記載の方法。
（項目１２）
上記ビットは、情報ビットおよびトレーニングビットを含む、項目１０に記載の方法。
（項目１３）
上記第１の直交周波数分割多重シンボルは、第１の数のトレーニングシンボルを含み、上記第２の直交周波数分割多重シンボルは、上記第１の数のトレーニングシンボルと異なる第２の数のトレーニングシンボルを含む、項目１に記載の方法。
（項目１４）
エンコードされるべきビット集合の部分を少なくとも１つの時分割多元接続タイムスロットの間に伝送されるべき直交周波数分割多重シンボルに変換することを含み、上記変換することは、上記ビット集合の部分を１つ以上の変調されたサブキャリアによって表される１つ以上のシンボルにマップすることを含み、上記１つ以上のサブキャリアは、異なる変調方式に従って、変調される、方法。
（項目１５）
一次の変調方式は、伝送帯域のエッジ近傍のサブキャリアを変調するために使用され、上記一次より高次の二次の変調方式は、上記伝送帯域の中央近傍のサブキャリアを変調するために使用される、項目１４に記載の方法。
（項目１６）
１つ以上のトレーニングシンボルが、１つ以上のサブキャリア上に変調される、項目１４または１５に記載の方法。
（項目１７）
少なくとも１つのトレーニングシンボルが、上記直交周波数分割多重シンボルの低周波数サブキャリア上に変調される、項目１６に記載の方法。
（項目１８）
少なくとも１つのトレーニングシンボルが、上記直交周波数分割多重シンボルの高周波数サブキャリア上に変調される、項目１６または１７に記載の方法。
（項目１９）
上記ビット集合の部分を上記直交周波数分割多重シンボルに変換することは、上記ビット集合の部分を基数２のシンボル数にマップすることを含む、項目１４に記載の方法。
（項目２０）
上記ビットは、情報ビットおよびトレーニングビットを含む、項目１４に記載の方法。
（項目２１）
第１のサブキャリア集合を変調することによって、エンコードされるべきビット集合の部分を時分割多元接続タイムスロットの一部の間に伝送されるべき直交周波数分割多重シンボルに変換することと、
上記第１のサブキャリア集合と異なる第２のサブキャリア集合を変調することによって、トレーニングシンボルを上記直交周波数分割多重シンボル内に含むことであって、上記第２のサブキャリア集合の少なくとも１つのサブキャリアは、伝送帯域のエッジ近傍にある、ことと
を含む、方法。
（項目２２）
上記サブキャリアは、異なる変調方式に従って、変調される、項目２１に記載の方法。
（項目２３）
一次の変調方式は、上記伝送帯域のエッジ近傍のサブキャリアを変調するために使用され、上記一次より高次の二次の変調方式は、上記伝送帯域の中央近傍のサブキャリアを変調するために使用される、項目２１または２２に記載の方法。
（項目２４）
上記第２のサブキャリア集合の少なくとも１つのサブキャリアは、上記伝送帯域のエッジにある、項目２１または２２または２３に記載の方法。
（項目２５）
上記ビット集合の部分を上記直交周波数分割多重シンボルに変換することは、上記ビット集合の第１の部分を基数２のシンボル数にマップすることを含む、項目２１または２２または２３または２４に記載の方法。
（項目２６）
エンコードされるべきビット集合の第１の部分を時分割多元接続タイムスロットの第１の部分の間に伝送されるべき第１の直交周波数分割多重シンボルに変換し、エンコードされるべき上記ビット集合の第２の部分を時分割多元接続タイムスロットの第２の部分の間に伝送されるべき第２の直交周波数分割多重シンボルに変換するように構成される、構成要素を含む、機器。
（項目２７）
上記時分割多元接続タイムスロットは、エンコードされるべき上記ビットの部分を搬送する少なくとも１つの他の時分割多元接続タイムスロットと時間的に分離する、項目２６に記載の機器。
（項目２８）
上記ビット集合の第１の部分を上記第１の直交周波数分割多重シンボルに変換することは、上記ビット集合の第１の部分を１つ以上の変調されたサブキャリアによって表される１つ以上のシンボルにマップすることを含む、項目２６または２７に記載の機器。
（項目２９）
上記１つ以上のサブキャリアは、異なる変調方式に従って、変調される、項目２８に記載の機器。
（項目３０）
一次の変調方式は、伝送帯域のエッジ近傍の１つ以上のサブキャリアを変調する際に使用され、上記一次より高次の二次の変調方式は、上記伝送帯域の中央近傍の１つ以上のサブキャリアを変調するために使用される、項目２９に記載の機器。
（項目３１）
１つ以上のトレーニングシンボルが、１つ以上のサブキャリア上に変調される、項目２８または２９または３０に記載の機器。
（項目３２）
少なくとも１つのトレーニングシンボルが、上記第１の直交周波数分割多重シンボルまたは上記第２の直交周波数分割多重シンボルのうちの１つの低周波数サブキャリア上に変調される、項目３１に記載の機器。
（項目３３）
少なくとも１つのトレーニングシンボルが、上記第１の直交周波数分割多重シンボルまたは上記第２の直交周波数分割多重シンボルのうちの１つの高周波数サブキャリア上に変調される、項目３２に記載の機器。
（項目３４）
少なくとも１つのトレーニングシンボルが、上記第１の直交周波数分割多重シンボルの低周波数サブキャリア上に変調され、および少なくとも１つのトレーニングシンボルが、上記第２の直交周波数分割多重シンボルの高周波数サブキャリア上に変調される、項目３１または３２または３３に記載の機器。
（項目３５）
上記ビット集合の第１の部分を上記第１の直交周波数分割多重シンボルに変換することは、上記ビット集合の第１の部分を基数２のシンボル数にマップすることを含む、項目２６に記載の機器。
（項目３６）
上記ビット集合の第２の部分を上記第２の直交周波数分割多重シンボルに変換することは、上記ビット集合の第２の部分を基数２のシンボル数にマップすることを含む、項目３５に記載の機器。
（項目３７）
上記ビットは、情報ビットおよびトレーニングビットを含む、項目３５または３６に記載の機器。
（項目３８）
上記第１の直交周波数分割多重シンボルは、第１の数のトレーニングシンボルを含み、上記第２の直交周波数分割多重シンボルは、上記第１の数のトレーニングシンボルと異なる第２の数のトレーニングシンボルを含む、項目２６に記載の機器。
（項目３９）
エンコードされるべきビット集合の部分を少なくとも１つの時分割多元接続タイムスロットの間に伝送されるべき直交周波数分割多重シンボルに変換するように構成される、構成要素を含み、上記変換することは、上記ビット集合の部分を１つ以上の変調されたサブキャリアによって表される１つ以上のシンボルにマップすることを含み、上記１つ以上のサブキャリアは、異なる変調方式に従って、変調される、機器。
（項目４０）
一次の変調方式は、伝送帯域のエッジ近傍のサブキャリアを変調するために使用され、上記一次より高次の二次の変調方式は、上記伝送帯域の中央近傍のサブキャリアを変調するために使用される、項目３９に記載の機器。
（項目４１）
１つ以上のトレーニングシンボルが、１つ以上のサブキャリア上に変調される、項目３９に記載の機器。
（項目４２）
少なくとも１つのトレーニングシンボルが、上記直交周波数分割多重シンボルの低周波数サブキャリア上に変調される、項目４１に記載の機器。
（項目４３）
少なくとも１つのトレーニングシンボルが、上記直交周波数分割多重シンボルの高周波数サブキャリア上に変調される、項目４１または４２に記載の機器。
（項目４４）
上記ビット集合の部分を上記直交周波数分割多重シンボルに変換することは、上記ビット集合の部分を基数２のシンボル数にマップすることを含む、項目３９に記載の機器。
（項目４５）
上記ビットは、情報ビットおよびトレーニングビットを含む、項目３９に記載の機器。
（項目４６）
第１のサブキャリア集合を変調することによって、エンコードされるべきビット集合の部分を時分割多元接続タイムスロットの一部の間に伝送されるべき直交周波数分割多重シンボルに変換し、上記第１のサブキャリア集合と異なる第２のサブキャリア集合を変調することによって、トレーニングシンボルを上記直交周波数分割多重シンボル内に含むように構成される、構成要素を含み、上記第２のサブキャリア集合の少なくとも１つのサブキャリアは、伝送帯域のエッジ近傍にある、機器。
（項目４７）
上記サブキャリアは、異なる変調方式に従って、変調される、項目４６に記載の機器。
（項目４８）
一次の変調方式は、上記伝送帯域のエッジ近傍のサブキャリアを変調するために使用され、上記一次より高次の二次の変調方式は、上記伝送帯域の中央近傍のサブキャリアを変調するために使用される、項目４６または４７に記載の機器。
（項目４９）
上記第２のサブキャリア集合の少なくとも１つのサブキャリアは、上記伝送帯域のエッジにある、項目４６または４７または４８に記載の機器。
（項目５０）
上記ビット集合の部分を上記直交周波数分割多重シンボルに変換することは、上記ビット集合の第１の部分を基数２のシンボル数にマップすることを含む、項目４６または４７または４８または４９に記載の機器。
【国際調査報告】
2013527716.tif 000024
2013527716.tif 000025
2013527716.tif 000026
2013527716.tif 000027